(57)【要約】【課題】  色選別電極における局部ドーミングの発生を大幅に促進させることなく、捨て孔を通過して蛍光膜を発光させる電子ビームが遮蔽されることを防止し、蛍光体スクリーンに対する偏向器の回転方向の配置精度を向上させる。【解決手段】  陰極線管の構成を、外囲器と、蛍光体スクリーンと、複数の蛍光膜と、電子銃と、偏向器と、複数の開孔を有する有効領域１４Ａ及び複数の捨て孔６４を有する無効領域１４Ｂを含む色選別電極１４と、色選別電極１４を保持するフレーム２４と、内部磁気シールド５と、一対の長辺部３４及び一対の短辺部４４を有するエレクトロンシールド７とを含み、エレクトロンシールド７における一対の短辺部４４の各々が、短辺方向の中心部に近づくにつれて内側に突出し、中心部の内側の端部に切り欠き４７を有する形状である構成とする。【選択図】  図１
2006172885.tif 000002
【特許請求の範囲】
【請求項１】
対向する一対の長辺部と対向する一対の短辺部とを有する略矩形状のエレクトロンシールドであって、
前記一対の短辺部の各々が、短辺方向の中心部に近づくにつれて内側に突出し、前記中心部の内側の端部に切り欠きを有する形状であることを特徴とするエレクトロンシールド。
【請求項２】
フェースパネル及びファンネルを有する外囲器と、
前記フェースパネルの内面に形成された略矩形状の蛍光体スクリーンと、
前記フェースパネルの内面における前記蛍光体スクリーンの外縁の長軸上に形成された複数の蛍光膜と、
前記ファンネルの内部空間に設けられた電子銃と、
前記電子銃から射出された電子ビームを偏向させる偏向器と、
前記電子銃から射出された前記蛍光体スクリーンを発光させる電子ビームが通過する複数の開孔を有する有効領域、及び、前記有効領域の周縁に形成され、前記電子銃から射出された前記複数の蛍光膜を発光させる電子ビームが通過する複数の捨て孔を有する無効領域を含み、所定の間隔を隔てて前記蛍光体スクリーン及び前記複数の蛍光膜に対向している色選別電極と、
前記色選別電極を保持するフレームと、
前記色選別電極より前記電子銃側に設けられた内部磁気シールドと、
前記フレームと前記内部磁気シールドとの間に設けられ、対向する一対の長辺部及び対向する一対の短辺部を有し、前記電子銃から射出された電子ビームの通過領域を規制する略矩形状のエレクトロンシールドとを含む陰極線管であって、
前記エレクトロンシールドにおける前記一対の短辺部の各々が、短辺方向の中心部に近づくにつれて内側に突出し、前記中心部の内側の端部に切り欠きを有する形状であることを特徴とする陰極線管。
【請求項３】
前記切り欠きの短辺方向の長さが、前記複数の捨て孔の短辺方向の長さより長く、
前記切り欠きの長辺方向の長さが、１．５ｍｍ以上である請求項２に記載の陰極線管。
【発明の詳細な説明】
【技術分野】
【０００１】
本発明は、陰極線管における電子ビームの通過領域を規制するエレクトロンシールド及びエレクトロンシールドを備えた陰極線管に関する。
【背景技術】
【０００２】
電子ビームの通過領域を規制するエレクトロンシールドを備えた陰極線管が知られている（例えば、特許文献１参照）。以下、図面を参照して、エレクトロンシールドを備えた従来の陰極線管について説明する。説明の便宜のために、陰極線管の管軸を通り、かつ管軸に垂直な水平軸をＸ軸とし、管軸を通り、かつ管軸及びＸ軸に垂直な垂直軸をＹ軸とし、管軸をＺ軸とするＸＹＺ−３次元直交座標系を設定する。
【０００３】
図４は、従来の陰極線管の構造例を表すＹ−Ｚ平面で切断した模式的な断面図である。図４に示されたように、フェースパネル１１とファンネル２１とが一体化されて外囲器１を構成する。フェースパネル１１の内面には略矩形状の蛍光体スクリーン２が形成されている。ファンネル２１のネック部には電子銃３が内蔵されている。
【０００４】
蛍光体スクリーン２から所定の間隔だけ隔て、かつこれに対向するように、色選別電極（マスク本体）１４がフレーム（マスクフレーム）２４に架張固定されている。なお、一般的に、色選別電極１４とフレーム２４とはシャドウマスク４と総称される。シャドウマスク４は、フレーム２４の外周面に設置された板バネ状の弾性支持体（図示せず）をフェースパネル１１の内面に植設されたパネルピン（図示せず）に掛止することで、フェースパネル１１に保持されている。
【０００５】
フレーム２４の電子銃３側の面には、略矩形状のエレクトロンシールド１０７が設置されている。エレクトロンシールド１０７のＺ軸側（内側）の縁はフレーム２４のＺ軸側の縁よりもＺ軸側に突出しており、かつ、Ｚ軸側の端部は電子銃３側に屈曲されている。
【０００６】
ファンネル２１の外縁には、電子銃３から射出された電子ビーム１３を偏向させる偏向ヨーク（偏向器）６が設けられている。電子ビーム１３は、偏向ヨーク６による磁気的な作用によって水平方向及び垂直方向に偏向され、蛍光体スクリーン２上を走査する。
【０００７】
フレーム２４と偏向ヨーク６との間のファンネル２１の内部空間には、内部磁気シールド５が設けられている。陰極線管に地磁気等の外部磁界が作用すると、電子ビーム１３は、その軌道が変化して、蛍光体スクリーン２における所望の位置に到達しない。いわゆるミスランディングが生じる。この結果、色ズレなどの好ましくない現象が生じ、表示画像の画質を劣化させる。この画質の劣化を防止するために、内部磁気シールド５は設けられている。
【０００８】
ここで、シャドウマスク４と内部磁気シールド６とエレクトロンシールド１０７とを有する色選別構体の構造について詳細に説明する。図５は、従来の陰極線管における色選別構体の構造例を表す模式的な分解斜視図である。また、図６は、従来の陰極線管における色選別構体の構造例を表す模式的な斜視図である。
【０００９】
図５に示されたように、シャドウマスク４の色選別電極１４は、蛍光体スクリーン２（図４参照）を発光させる電子ビームが通過する複数の開孔（図示せず）を有する有効領域（有孔部）１４Ａと、有効領域１４Ａの外縁に形成された無効領域（無効部）１４Ｂとを有している。
【００１０】
色選別電極１４を保持するフレーム２４は、所定の距離だけ離隔したＸ軸と略平行な一対の長辺側フレーム材３４と、所定の距離だけ離隔したＹ軸と略平行な一対の短辺側フレーム材４４とを有する。一対の長辺側フレーム材３４と一対の短辺側フレーム材４４とは、略矩形状となるように溶接によって接合されている。なお、色選別電極１４は一対の長辺側フレーム材３４に接合されており、一対の長辺側フレーム材３４間に色選別電極１４を引き伸ばす方向に力を加えた状態で一対の短辺側フレーム材４４を接合することによって、色選別電極１４はフレーム２４に架張固定される。各長辺側フレーム材３４は、平坦な金属板を中空三角柱形状となるように折り曲げることによって形成され、各短辺フレーム材４４は、平坦な金属板を略「コ」字形状（略「Ｕ」字形状）となるように折り曲げることによって形成される。
【００１１】
エレクトロンシールド１０７は、所定の距離だけ離隔したＸ軸と略平行な一対の長辺側シールド板１７と、所定の距離だけ離隔したＹ軸と略平行な一対の短辺側シールド板１２７とを有する。一対の長辺側シールド板１７と一対の短辺側シールド板１２７とは、略矩形状となるように接合されている。短辺側シールド板１２７のＺ軸側の縁は、Ｚ軸方向から見た場合、略中央を頂点として内側に凸となる（中央に近づくにつれて内側に突出する）三角形又は略円弧状である。各長辺側シールド板１７及び各短辺側シールド板１２７によって、電子ビーム１３の通過領域が規制される。
【００１２】
エレクトロンシールド１０７は、電子ビームが何らかの理由で本来の正常な軌道よりも外側にずれたときやオーバースキャンされたときに、シャドウマスク４のフレーム２４で反射した電子ビームが有効領域１４Ａにおける複数の開孔（図示せず）を通過して蛍光体スクリーン２に到達することを防止している。また、エレクトロンシールド１０７は、色選別電極１４と一対の短辺側フレーム材４４との間隙を通過した電子ビームがフェースパネル１１（図４参照）の内壁面で反射して蛍光体スクリーン２に到達することを防止している。これにより、表示画像の乱れが防止される。更に、短辺側シールド板１２７のＺ軸側の縁を三角形又は略円弧状とすることで、短辺側シールド板１２７のＺ軸側の端面によって反射された電子ビームが、有効領域１４Ａにおける複数の開孔を通過して蛍光体スクリーン２に直線状のハレーションパターンで到達することを防止している。これにより、コントラストの著しい劣化が防止される。
【００１３】
内部磁気シールド５は、対向する一対の略台形状の長辺側シールド材１５と、対向する一対の略矩形状の短辺側シールド材２５とを有する。一対の長辺側シールド材１５と短辺側シールド材２５とは、略四角錘面の一部を形成するように接合されている。各長辺側シールド材１５のフレーム２４側には、Ｘ−Ｙ平面と略平行となるように屈曲した長辺側スカート３５が形成されている。また、各短辺側シールド板２５のフレーム２４側には、短辺側スカート４５が形成されている。
【００１４】
フレーム２４の一対の長辺側フレーム材３４におけるエレクトロンシールド１０７側には複数の開孔５４が形成されている。また、エレクトロンシールド１０７の一対の長辺側シールド板１７には、一対の長辺側フレーム材３４における複数の開孔５４に対応する複数の開孔３７が形成され、内部磁気シールド５の一対の長辺側スカート３５にも、複数の開孔５４に対応する複数の開孔５５が形成されている。それらの複数の開孔５４，３７，５５は、シャドウマスク４とエレクトロンシールド１０７とシャドウマスク５とを一体化して色選別構体を形成する際の位置合わせに用いられる。具体的には、長辺側フレーム材３４上に長辺側シールド板１７と長辺側スカート３５とを順に重ね合わせる際に、位置合わせ用の複数のピン（図示せず）を開孔５４，３７，５５に貫通させることによって、位置合わせを行なう。なお、位置合わせを行なった後に、シャドウマスク４とエレクトロンシールド１０７とシャドウマスク５とは、それらを密着させる圧力を溶接点（図５中の＊印）の近傍のコーナー部に加えた状態で抵抗溶接される。これにより、図６に示されたような色選別構体が形成される。
【００１５】
図７は、従来の陰極線管における色選別構体の構造例を表すＸ−Ｚ平面で切断した模式的な断面図である。なお、図７は、図６におけるＢ−Ｂ切断線に沿って切断した模式的な矢視断面図である。図７に示されたように、短辺側シールド板１２７の配置は、色選別電極１４の有効領域１４Ａの最外端を通る電子ビーム１３Ａを遮ることがないように（第１の条件）、無効領域１４Ｂに向かう電子ビーム（電子ビーム１３Ａ〜１３Ｂの間を通る電子ビーム）の大半を遮るように（第２の条件）、かつ、無効領域１４Ｂよりも外側に向かう電子ビーム（電子ビーム１３Ｂ〜１３Ｃの間を通る電子ビーム）を必ず遮る（第３の条件）ように決定される。
【００１６】
上記の第１の条件を満たさない場合は、本来、蛍光体スクリーン２（図４参照）に到達するべき電子ビーム１３Ａを短辺側シールド板１２７が遮蔽することとなる。これにより、表示画像の端部に画像の欠けが発生する。また、上記の第２の条件を満たさない場合には、画像表示に不要な電子ビームの一部（電子ビーム１３Ａ〜１３Ｄの間を通る電子ビーム）が無効領域１４Ｂに照射されることにより無効領域１４Ｂの温度が上昇し、色選別電極１４に局部ドーミング（マスクドーミング）を発生させる。これにより、画像表示の色純度が低下する。また、上記の第３の条件を満たさない場合は、各短辺側フレーム材４４と色選別電極１４との間の間隙を通過した電子ビーム（電子ビーム１３Ｂ〜１３Ｃの間を通る電子ビーム）がフェースパネル１１（図４参照）の内壁で反射して蛍光体スクリーン２（図４参照）に到達する。これにより、蛍光体スクリーン２が光り、コントラストが著しく劣化する。なお、短辺側シールド板１２７の管軸側の縁は、ハレーションや局部ドーミングを抑制するために、できるだけ有効領域１４Ａの最外端を通過する電子ビーム１３Ａに近づけるよう設計されている。
【００１７】
図８は、従来の陰極線管の構造例を表す模式的な正面図である。図８に示されたように、通常、フェースパネル１１の内面における蛍光体スクリーン２よりも外側の長軸（Ｘ−Ｚ平面内においてＸ軸と概ね平行な軸）上に１〜３個の３色の蛍光体を略矩形状に左右に配列させた２つの蛍光膜１２が形成されている。また、通常、色選別電極１４（図５参照）における無効領域１４Ｂ（図５参照）の長軸上には、２つの蛍光膜１２を発光させる電子ビームが通過する２つの捨て孔６４（図５参照）が形成されている。一般的に、外囲器１（図４参照）の外縁に偏向ヨーク６（図４参照）を取り付ける際に、２つの蛍光体膜１２の発光を利用して、蛍光体スクリーン２に対する偏向ヨーク６の回転方向の相対位置を合わせる技術が用いられている。具体的には、電子銃３（図４参照）によって蛍光体スクリーン２に十字線を表示させ、その十字線を回転（偏向ヨーク６を回転）させながら、十字線の延長上で２つの蛍光体膜１２が同時に発光する位置を探す。
【特許文献１】特開２００２−３５２７４０号公報
【発明の開示】
【発明が解決しようとする課題】
【００１８】
しかしながら、上述の従来の陰極線管を作製したところ、蛍光体スクリーンの外縁に形成された２つの蛍光膜の少なくとも一方が発光しないという現象が、多くの陰極線管において発生した。本発明者は、この現象の発生要因を種々検討した結果、新たな問題因子が存在することを見出した。以下これについて説明する。図９（Ａ）及び（Ｂ）は、従来の陰極線管における課題の一例を説明するための説明図である。図９（Ａ）及び（Ｂ）は、それぞれ、図６におけるＡ−Ａ切断線及びＢ−Ｂ切断線に沿って切断した模式的な矢視断面図である。
【００１９】
図９（Ａ）に示されたように、色選別電極１４を架張固定するための強度を確保するために、通常、長辺側フレーム材３４は、蛍光体スクリーン側（図９（Ａ）における下側）へ突出するように弧状に湾曲させている。これにより、抵抗溶接における加圧の際に、長辺側シールド板１７のコーナー部が長辺側フレーム材３４に概ね沿うように湾曲する。この状態で溶接が行なわれると、長辺側シールド板１７のコーナー部がＸ−Ｙ平面と平行な平面Ｐに対して傾斜した状態で固定される。この長辺側シールド板１７の変形に伴って、一対の長辺側シールド板１７のコーナー部間を橋渡すように配置された各短辺側シールド板１２７も、全体的に、平面Ｐに対して傾斜することとなる。したがって、図９（Ｂ）に示されたように、短辺側シールド板１２７のＺ軸側の縁が蛍光体スクリーン側（図９（Ｂ）の下側）へ倒れ込み、短辺側シールド板１２７のＺ軸側の縁に最も近接した軌道をとり、本来、捨て孔６４を通過すべきであった電子ビーム１３Ｅが遮蔽されてしまう。なお、比較のために、図９（Ｂ）には、エレクトロンシールドが変形しない場合の短辺側シールド板の配置場所が破線で表されている。
【００２０】
また、図示しないが、抵抗溶接における加圧の際に、エレクトロンシールドの位置決め用の開孔が変形することによって、エレクトロンシールドの位置がずれる場合が発生する。更に、エレクトロンシールドが殆んど変形しない場合であっても、色選別構体においては、シャドウマスク、エレクトロンシールド及び内部磁気シールドの作製寸法の公差や、取り付け時の位置ズレ等によって、色選別電極の長軸及び短軸が、それぞれ、エレクトロンシールドの長軸及び短軸と必ずしも一致しない場合が発生する。このようなズレが発生すると、短辺側シールド板のＺ軸側の縁の相対位置が変位するために、無効領域の捨て孔へ向かう電子ビームがエレクトロンシールドで遮蔽されてしまう。
【００２１】
無効領域の捨て孔に向かう電子ビームが遮蔽されないように、単に、短辺側シールド板の位置を、捨て孔に向かう電子ビームから遠ざける方向（Ｚ軸とは反対方向）へ移動させると、捨て孔を通過せずに無効領域へ照射される電子ビームの照射量が多くなるために、色選別電極における局部ドーミングの発生が大幅に促進されてしまう。
【００２２】
そこで、本発明では、色選別電極における局部ドーミングの発生を大幅に促進させることなく、捨て孔を通過して蛍光膜を発光させる電子ビームが遮蔽されることを防止し、偏向器の回転方向の配置精度を向上させる。
【課題を解決するための手段】
【００２３】
上記の課題を解決するために、本発明に係るエレクトロンシールドは、対向する一対の長辺部と対向する一対の短辺部とを有する略矩形状のエレクトロンシールドであって、一対の短辺部の各々が、短辺方向の中心部に近づくにつれて内側に突出し、中心部の内側の端部に切り欠きを有する形状であることを特徴とする。
【００２４】
また、上記の課題を解決するために、本発明に係るカラー受像管は、フェースパネル及びファンネルを有する外囲器と、フェースパネルの内面に形成された略矩形状の蛍光体スクリーンと、フェースパネルの内面における蛍光体スクリーンの外縁の長軸上に形成された複数の蛍光膜と、ファンネルの内部空間に設けられた電子銃と、電子銃から射出された電子ビームを偏向させる偏向器と、電子銃から射出された蛍光体スクリーンを発光させる電子ビームが通過する複数の開孔を有する有効領域、及び、有効領域の周縁に形成され、電子銃から射出された複数の蛍光膜を発光させる電子ビームが通過する複数の捨て孔を有する無効領域とを含み、所定の間隔を隔てて蛍光体スクリーン及び複数の蛍光膜に対向している色選別電極と、色選別電極を保持するフレームと、色選別電極より電子銃側のファンネルの内部空間に設けられた内部磁気シールドと、フレームと内部磁気シールドとの間に設けられ、対向する一対の長辺部及び対向する一対の短辺部を有し、電子銃から射出された電子ビームの通過領域を規制する略矩形状のエレクトロンシールドとを含む陰極線管であって、エレクトロンシールドにおける一対の短辺部の各々が、短辺方向の中心部に近づくにつれて内側に突出し、中心部の内側の端部に切り欠きを有する形状であることを特徴とする。
【発明の効果】
【００２５】
本発明に係るエレクトロンシールドを備えた陰極線管によれば、短辺側シールド板に切り欠きを形成したことによって、色選別構体を構成する部品の加工精度のバラツキや、色選別構体の組立て時における配置の位置ズレ及び変形等に起因する捨て孔を通過する電子ビームの遮蔽を防止できる。また、切り欠きを短辺側シールド板の短辺方向の中心部のみに形成したことによって、色選別電極の無効領域に電子ビームが照射されることに起因する局部ドーミングを最小限度に抑えることができる。これにより、画像表示の表示性能を向上させることができる。
【発明を実施するための最良の形態】
【００２６】
本発明に係る陰極線管は、上述のように、外囲器と、蛍光体スクリーンと、複数の蛍光膜と、電子銃と、偏向器と、複数の開孔を有する有効領域及び複数の捨て孔を有する無効領域を含む色選別電極と、色選別電極を保持するフレームと、内部磁気シールドと、エレクトロンシールドとを含む。なお、本発明に係る陰極線管は、本発明に係るエレクトロンシールドを備えること以外は、公知のいかなる陰極線管と同一の構成であってもよい。
【００２７】
以下に、本発明に係る陰極線管の一実施形態について説明する。一実施形態の陰極線管は、エレクトロンシールドを除いて図４に示された従来の陰極線管１１０と同一の構造である。したがって、エレクトロンシールド以外の部材については、その詳細な説明を省略する。
【００２８】
図１は、一実施形態の陰極線管における色選別構体の構造例を表した分解斜視図である。なお、図５と同一の部材には同一の符号を付して詳細な説明を省略する。
【００２９】
図１に示されたように、エレクトロンシールド７は、対向する一対の長辺側シールド板（長辺部）１７と対向する一対の短辺側シールド板（短辺部）２７とを有する。一対の短辺側シールド板２７の各々は、Ｙ軸方向（短辺方向）の中心部に近づくにつれてＺ軸側（内側）に突出し、中心部におけるＺ軸側の端部に切り欠き４７を有する形状である。各長辺側シールド板１７及び各短辺側シールド板２７のＺ軸側の縁は、フレーム２４の管軸側の縁よりもＺ軸側に突出している。また、各長辺側シールド板１７及び各短辺側シールド板２７のＺ軸側の端部は、電子銃側（図１において上側）に屈曲している。なお、各短辺側シールド板２７のＹ軸方向の中心部に切り欠き４７を有すること以外は、図５に示されたエレクトロンシールド１０７と同一の構造である。以下、短辺側シールド板２７に形成される切り欠き４７について詳細に述べる。
【００３０】
図２は、一実施形態の陰極線管におけるエレクトロンシールドの構造例を部分的に表す模式的な平面図である。なお、図２には、エレクトロンシールドをＺ軸方向から見た場合が示されている。図２に示されたように、短辺側シールド板２７の切り欠き４７は、切り欠き４７を形成する前（図２における破線）の形状における頂点からの長さがＬXであり、Ｙ軸方向の略中心（Ｘ軸上）を中心とするＹ軸方向の長さがＬYである略長方形状である。
【００３１】
切り欠き４７のＹ軸方向の長さＬYは、捨て孔６４（図１参照）のＹ軸方向の長さより長いことが好ましい。捨て孔６４に向かう電子ビームが、切り欠き４７の周辺の短辺側シールド板２７で遮断されることを良好に防止できるからである。また、好ましくは、切り欠き４７のＹ軸方向の長さＬYが、捨て孔６４のＹ軸方向の長さの６倍以下である場合である。Ｙ軸方向の長さＬYが長いほど、捨て孔６４の周辺の無効領域１４Ｂ（図１参照）に到達する電子ビームが増加するからである。
【００３２】
図１に示された構成であれば、エレクトロンシールド７には捨て孔６４に向かう電子ビームの通過経路の近傍のみに切り欠き４７が形成されているため、エレクトロンシールド７、シャドウマスク４及び内部磁気シールド５の加工精度のバラツキやそれらを組立てる際の配置の位置ズレ及び変形等に起因する捨て孔６４を通過する電子ビームの遮蔽を防止できると共に、色選別電極１４の無効領域１４Ｂに電子ビームが照射されることに起因する局部ドーミングを最小限度に抑えることができる。
【００３３】
ここで、実施例に基づいて本発明の効果について説明する。対角７６ｃｍの陰極線管に対応する１２種類のエレクトロンシールドを作製した。１２種類のエレクトロンシールドにおいて、Ｙ軸方向の長さＬYは５ｍｍの一定値とし、Ｘ軸方向の長さＬXは０．５〜６ｍｍの範囲において０．５ｍｍ間隔で異ならせた。なお、比較のために、切り欠きを形成しない従来の構造のエレクトロンシールドも作製した。
【００３４】
色選別電極の無効領域には、Ｘ軸方向の長さが０．５ｍｍであり、Ｙ軸方向の長さが１ｍｍである略矩形状の捨て孔が形成されている。また、色選別電極の有効領域の最外端から捨て孔の中心までの距離を１．０ｍｍとした。
【００３５】
作製された１２種類のエレクトロンシールドと色選別電極とを用いた１２種類の陰極線管に対して、蛍光体スクリーンの外縁に形成された２つの蛍光膜の少なくとも一方が発光しない現象（非発光現象）の発生率を測定した。図３は、実施例の１２種類の陰極線管に対する切り欠きのＸ軸方向の長さＬXと蛍光膜の非発光現象の発生率との相関を表すグラフである。横軸が切り欠きのＸ軸方向の長さＬX［ｍｍ］を表し、縦軸が非発光現象の発生率［％］を表している。なお、比較のために、図３には、切り欠きを形成しない従来の場合（図３の×印：ＬX＝０ｍｍ）の測定結果も示す。
【００３６】
図３からわかるように、Ｘ軸方向の長さＬXが大きくなるにしたがって、非発光現象の発生率が減少する。つまり、切り欠きを設けることによって非発光現象の発生率が減少する。また、Ｘ軸方向の長さＬXが１．５ｍｍ以上になると非発光現象の発生率はゼロになった。したがって、Ｘ軸方向の長さＬXは、１．５ｍｍ以上であることが好ましい。一方、Ｘ軸方向の長さＬXは無効領域のＸ軸方向の長さより小さいことが好ましい。無効部のＸ軸方向の長さより大きい場合、切り欠きを通過した電子ビームが色選別電極と短辺側フレーム材との間隙を通過して有効画面の短辺側の端部近傍にハレーションを発生させ易くなるからである。実際に、無効領域のＸ軸方向の長さが５．５ｍｍである上記の１２種類のエレクトロンシールドにおいて、Ｘ軸方向の長さＬXが６．０ｍｍの場合のみハレーションが発生した。通常、無効領域のＸ軸方向の長さは５．５ｍｍ程度であるため、Ｘ軸方向の長さＬXは５．５ｍｍ以下であることが好ましい。更に好ましくは、Ｘ軸方向の長さＬXが４．０ｍｍ以下の場合である。なお、データは示さないが、Ｘ軸方向の長さＬXに対する上記の条件は、サイズの異なる陰極線管でも概ね同様に成り立つ。
【００３７】
また、実施例のエレクトロンシールドを用いた陰極線管に対して、色選別電極における局部ドーミングを測定した。その結果、１２種類のエレクトロンシールドを用いた全ての陰極線管において、切り欠きを形成しない従来のエレクトロンシールドを用いた陰極線管と同等の特性を示した。つまり、局部ドーミングの発生を促進することなく、蛍光体膜における非発光現象の発生率を減少できた。
【００３８】
上記の実施例では対角７６ｃｍの陰極線管のみについて説明したが、違うサイズの陰極線管であっても、エレクトロンシールドの大きさは変わるが、同様の効果が得られることは言うまでもない。
【００３９】
上記においては、切り欠きの形状が略長方形である場合について説明したが、切り欠きの形状が略楕円形及び略菱形であってもよい。
【００４０】
上記においては、４つのシールド板が接合されたエレクトロンシールドについて説明したが、プレス加工等によって一体的に形成されたエレクトロンシールドであってもよい。
【００４１】
上記においては、エレクトロンシールドのＺ軸側の端面におけるハレーションを防止するために、エレクトロンシールドのＺ軸側の端部を電子銃側に屈曲させる場合について説明したが、本発明ではこの構成には限定されない。例えば、エレクトロンシールドのＺ軸側の端部は屈曲させずに平坦なままであってもよい。
【００４２】
上記においては、蛍光体スクリーン、色選別電極及びフレーム等の長軸方向及び短軸方向が、それぞれ、Ｘ軸方向及びＹ軸方向と一致する場合について説明したが、それらが、それぞれ、Ｙ軸方向及びＸ軸方向と一致する場合であってもよい。
【産業上の利用可能性】
【００４３】
本発明は、陰極線管において、色選別電極における局部ドーミングの発生を大幅に促進させることなく、蛍光体スクリーンに対する偏向器の回転方向の配置精度を向上させて、表示性能を向上させるために利用できる。
【図面の簡単な説明】
【００４４】
【図１】図１は、本発明に係る陰極線管における色選別構体の構造例を表す模式的な分解斜視図である。
【図２】図２は、本発明に係る陰極線管におけるエレクトロンシールドの構造例を部分的に表す模式的な平面図である。
【図３】図３は、実施例に係る陰極線管に対するエレクトロンシールドの切り欠きのＸ軸方向の長さＬXと蛍光膜の非発光現象の発生率との相関を表すグラフである。
【図４】図４は、従来の陰極線管の構造例を表す模式的な断面図である。
【図５】図５は、従来の陰極線管における色選別構体の構造例を表す模式的な分解斜視図である。
【図６】図６は、従来の陰極線管における色選別構体の構造例を表す模式的な斜視図である。
【図７】図７は、従来の陰極線管における色選別構体の構造例を表すＸ−Ｚ平面で切断した模式的な断面図である。
【図８】図８は、従来の陰極線管の構造例を表す模式的な正面図である。
【図９】図９（Ａ）及び（Ｂ）は、従来の陰極線管における課題の一例を説明するための説明図である。
【符号の説明】
【００４５】
１  外囲器
２  蛍光体スクリーン
３  電子銃
４  シャドウマスク
５  内部磁気シールド
６  偏向ヨーク（偏向器）
７，１０７  エレクトロンシールド
１１０  陰極線管
１１  フェースパネル
２１  ファンネル
１２  蛍光膜
１３，１３Ａ〜Ｅ  電子ビーム
１４  色選別電極（マスク本体）
１４Ａ  有効領域
１４Ｂ  無効領域
２４  フレーム（マスクフレーム）
３４  長辺側フレーム材
４４  短辺側フレーム材
５４  開孔
６４  捨て孔
１５  長辺側シールド材
２５  短辺側シールド材
３５  長辺側スカート
４５  短辺側スカート
５５  開孔
１７  長辺側シールド板（長辺部）
２７，１２７  短辺側シールド板（短辺部）
３７  開孔
４７  切り欠き
【図１】
2006172885.tif 000003
【図２】
2006172885.tif 000004
【図３】
2006172885.tif 000005
【図４】
2006172885.tif 000006
【図５】
2006172885.tif 000007
【図６】
2006172885.tif 000008
【図７】
2006172885.tif 000009
【図８】
2006172885.tif 000010
【図９】
2006172885.tif 000011